(57)【特許請求の範囲】
【請求項１】
独立したＧＮＤをもち、ＧＮＤノイズが重畳したＧＮＤ信号を出力するとともに前記ＧＮＤノイズが重畳した映像信号を出力し、且つ前記ＧＮＤ信号に重畳したＧＮＤノイズと前記映像信号に重畳したＧＮＤノイズの瞬時値が同一である映像信号出力用外部機器と、
前記映像信号出力用外部機器から出力する前記映像信号と前記ＧＮＤ信号を入力して前記映像信号から前記ＧＮＤ信号を減算する減算手段を有する映像信号用同相信号除去回路と、を具備し、
前記映像信号出力用外部機器の前記映像信号の出力部と前記映像信号用同相信号除去回路の前記映像信号の入力部との間に第１の容量を接続し、
前記映像信号出力用外部機器の前記ＧＮＤ信号の出力部と前記映像信号用同相信号除去回路の前記ＧＮＤ信号の入力部との間に第２の容量を接続し、
前記映像信号用同相信号除去回路の前記映像信号の入力部に、映像信号のＡＰＬの中心レベルをバイアスするバイアス回路を接続したことを特徴とする映像信号入力回路。
【請求項２】
請求項１に記載の映像信号入力回路において、
前記第１の容量に第１の抵抗を直列接続すると共に前記第２の容量に第２の抵抗を直列接続し、
前記映像信号用同相信号除去回路の前記減算手段を差動増幅器で構成して、該差動増幅器の非反転入力側にゲイン設定用の第１の抵抗群を接続すると共に反転入力側に前記第１の抵抗群で設定されるゲインと同程度のゲインを設定する第２の抵抗群を接続し、且つ前記映像信号の入力部と前記第１の抵抗群の間に第１のバッファ回路を接続すると共に前記ＧＮＤ信号の入力部と前記第２の抵抗群の間に第２のバッファ回路を接続した、
ことを特徴とする映像信号入力回路。
【請求項３】
請求項２に記載の映像信号入力回路において、
前記バイアス回路を、前記映像信号の入力部と前記第１のバッファ回路の入力側との間に接続したことを特徴とする映像信号入力回路。
【発明の詳細な説明】
【技術分野】
【０００１】
本発明は、映像信号に含まれるＧＮＤノイズを除去する機能を有する映像信号入力回路に関するものである。
【背景技術】
【０００２】
独立したＧＮＤをもつ外部機器から出力される映像信号を入力して所定の映像処理を行うとき、その外部機器内でＧＮＤノイズが発生していると、そのＧＮＤノイズが入力映像信号に重畳されてくるので、適切な映像処理を行うことができない。
【０００３】
特に、アナログの映像信号をデジタルの映像信号に変換するときは、そのレファレンス電圧をＧＮＤを基準に作成するので、そのレファレンス電圧にＧＮＤノイズが重畳していると適正なＡ／Ｄ変換を行うことができない。
【０００４】
このような場合に従来では、図９に示すように、映像信号とＧＮＤ信号を別々のＡ／Ｄ変換器２８，２９でデジタル信号に変換してから、そのデジタル信号の差分を演算回路３０でとってＧＮＤノイズを除去することが行われている（例えば、特許文献１参照）。図９において、２４は映像信号取出用のエミッタホロワトランジスタ、２５は抵抗、２６はマッチング用のコモンチョークである。
【特許文献１】特開２００４−２１４９１８号公報
【発明の開示】
【発明が解決しようとする課題】
【０００５】
しかし、図９の回路では、入力側の映像信号ラインのエミッタホロワトランジスタ２４のエミッタとＧＮＤ信号ラインが抵抗２５で接続され、そのエミッタから映像信号を取り出しているため、そのトランジスタ２４のエミッタ抵抗と抵抗２５により分圧された信号が映像信号となるので、映像信号に重畳されるＧＮＤノイズと、ＧＮＤラインのＧＮＤノイズのレベルが異なることになる。よって、Ａ／Ｄ変換を行わない場合では、映像信号に重畳するＧＮＤノイズとＧＮＤ信号に重畳するＧＮＤノイズのレベルが異なり、映像信号からＧＮＤノイズを除去することが困難になるという問題がある。
【０００６】
本発明の目的は、映像信号に重畳したＧＮＤノイズが簡単な構成で除去できるようにした映像信号入力回路を提供することである。
【課題を解決するための手段】
【０００７】
上記目的を達成するために請求項１にかかる発明は、独立したＧＮＤをもち、ＧＮＤノイズが重畳したＧＮＤ信号を出力するとともに前記ＧＮＤノイズが重畳した映像信号を出力し、且つ前記ＧＮＤ信号に重畳したＧＮＤノイズと前記映像信号に重畳したＧＮＤノイズの瞬時値が同一である映像信号出力用外部機器と、前記映像信号出力用外部機器から出力する前記映像信号と前記ＧＮＤ信号を入力して前記映像信号から前記ＧＮＤ信号を減算する減算手段を有する映像信号用同相信号除去回路と、を具備し、前記映像信号出力用外部機器の前記映像信号の出力部と前記映像信号用同相信号除去回路の前記映像信号の入力部との間に第１の容量を接続し、前記映像信号出力用外部機器の前記ＧＮＤ信号の出力部と前記映像信号用同相信号除去回路の前記ＧＮＤ信号の入力部との間に第２の容量を接続し、前記映像信号用同相信号除去回路の前記映像信号の入力部に、映像信号のＡＰＬの中心レベルをバイアスするバイアス回路を接続したことを特徴とする。
請求項２にかかる発明は、請求項１に記載の映像信号入力回路において、前記第１の容量に第１の抵抗を直列接続すると共に前記第２の容量に第２の抵抗を直列接続し、前記映像信号用同相信号除去回路の前記減算手段を差動増幅器で構成して、該差動増幅器の非反転入力側にゲイン設定用の第１の抵抗群を接続すると共に反転入力側に前記第１の抵抗群で設定されるゲインと同程度のゲインを設定する第２の抵抗群を接続し、且つ前記映像信号の入力部と前記第１の抵抗群の間に第１のバッファ回路を接続すると共に前記ＧＮＤ信号の入力部と前記第２の抵抗群の間に第２のバッファ回路を接続した、ことを特徴とする。
請求項３にかかる発明は、請求項２に記載の映像信号入力回路において、前記バイアス回路を、前記映像信号の入力部と前記第１のバッファ回路の入力側との間に接続したことを特徴とする。
【発明の効果】
【００１４】
請求項１の発明によれば、バイアスされたＧＮＤノイズ重畳映像信号から、ＧＮＤノイズ成分のみが減算処理され、除去される。これにより、映像信号出力用外部機器内で発生し映像信号に重畳してしまっていたＧＮＤノイズを取り除き、映像信号のみを出力することが出来る。
【００１５】
請求項２及び請求項３の発明によれば請求項１の発明の利点に加え、映像信号用同相信号除去回路の静電耐圧を向上させる利点がある。
【発明を実施するための最良の形態】
【００１６】
本発明では、映像信号出力用外部機器から出力する映像信号に重畳されるＧＮＤノイズとＧＮＤ信号に重畳されるＧＮＤノイズが瞬時値において同じとなるようにして、ＧＮＤノイズの除去を行う。以下、本発明を実施例によって図を参照しながら説明する。
【実施例１】
【００１７】
図１は本発明の実施例１の映像信号入力回路の構成を示すブロック図であり、映像信号用同相信号除去回路１００Ａおよび映像信号出力用外部機器２００からなる。１０１は同相信号除去回路１００Ａの映像信号入力端子、１０２はＧＮＤ信号入力端子、１０３は映像信号出力端子、１０４は減算回路である。２０１は外部機器２００の映像信号出力端子、２０２はＧＮＤ信号出力端子（接地端子）である。
【００１８】
映像信号出力用外部機器２００内でノイズが発生してＧＮＤに重畳すると、このＧＮＤに重畳したノイズにて影響された映像信号、すなわちＧＮＤノイズを重畳した映像信号が映像信号出力端子２０１から出力され、映像信号用同相信号除去回路１００Ａ内の映像信号入力端子１０１に入力される。
【００１９】
また、映像信号出力用外部機器２００内で発生したノイズの重畳したＧＮＤ信号もＧＮＤ信号出力端子２０２に出力され、映像信号用同相信号除去回路１００Ａ内のＧＮＤ信号入力端子４に入力される。このＧＮＤ信号に重畳されたＧＮＤノイズは映像信号に重畳したＧＮＤノイズと瞬時値が同じである。
【００２０】
映像信号用同相信号除去回路１００Ａでは、映像信号入力端子１０１から入力されたＧＮＤノイズ重畳の映像信号Ｓ１とＧＮＤ信号入力端子１０２から入力されたＧＮＤノイズ信号Ｓ２が減算回路１０４に入力して、前者から後者が減算され、ＧＮＤノイズ成分が除去された映像信号Ｓ３が映像出力端子１０３より出力される。
【００２１】
本実施例１では、入力する映像信号に重畳したＧＮＤノイズとＧＮＤ信号に重畳したＧＮＤノイズが同じ瞬時値で映像信号用同相信号除去回路１００Ａに取り込まれて減算回路１０４に入力されるので、そのＧＮＤノイズはそのまま相殺されることになり、簡単に映像信号からＧＮＤノイズ成分を除去することができる。
【実施例２】
【００２２】
図２は本発明の実施例２の映像信号入力回路の構成を示すブロック図である。ここでは、映像信号入力端子１０２と減算回路１０４の間にクランプ回路１０５を設けた映像信号用同相信号除去回路１００Ｂを用いる。また、直流成分除去のため、映像信号出力用外部機器２００の映像出力端子２０１と映像信号用同相信号除去回路１００Ｂの映像信号入力端子１０１との間に容量Ｃ１を接続し、さらに映像信号出力用外部機器２００のＧＮＤ信号出力端子２０２と映像信号用同相信号除去回路１００ＢのＧＮＤ信号入力端子１０２との間に容量Ｃ２を接続する。容量値はＣ１＝Ｃ２である。
【００２３】
よって、容量Ｃ１を介して映像信号入力端子１０１に入力されたＧＮＤノイズが重畳された映像信号は、クランプ回路１０５により入力映像信号のシンクチップ又はペデスタルが所望の電圧にクランプされる。クランプされた信号は、減算回路１０４において、容量Ｃ２を介してＧＮＤ信号入力端子１０２に入力されたＧＮＤノイズ重畳のＧＮＤ信号と減算処理され、ＧＮＤノイズ成分が除去された映像信号が映像出力端子１０３より出力される。
【実施例３】
【００２４】
図３は本発明の実施例３の映像信号入力回路の構成を示すブロック図である。ここでは、映像信号入力端子１０２と減算回路１０３の間にバイアス回路１０６を設けた映像信号用同相信号除去回路１００Ｃを用いる。バイアス回路１０６は、入力映像信号のＡＰＬ（平均映像信号レベル）の中心となる電位を与える回路である。
【００２５】
よって、容量Ｃ１を介して映像信号入力端子１０１に入力されたＧＮＤノイズが重畳された映像信号は、バイアス回路１０６により入力映像信号のＡＰＬ中心が所定の電圧にバイアスされて、減算回路１０４において、容量Ｃ２を介してＧＮＤ信号入力端子１０２に入力されたＧＮＤノイズ重畳のＧＮＤ信号と減算処理され、ＧＮＤノイズ成分が除去された映像信号が映像出力端子１０３より出力される。
【実施例４】
【００２６】
図４は本発明の実施例４の映像信号入力回路の構成を示すブロック図である。ここでは、映像信号用同相信号除去回路１００Ｄを用い、その映像信号入力端子１０１とＧＮＤ信号入力端子１０２の静電耐圧向上のために、それらと映像信号出力用外部機器２００の映像出力端子２０１、ＧＮＤ信号出力端子２０２との間に、抵抗Ｒａ，Ｒｂを挿入する。抵抗値はＲａ＝Ｒｂであり、数十乃至数百Ωである。
【００２７】
また、減算回路として差動増幅器１０７を用い、差動増幅器１０７の非反転入力側と映像信号入力端子１０１との間に抵抗Ｒ１を、基準電圧源１０８との間に抵抗Ｒ２を設け、差動増幅器１０７の反転入力側とＧＮＤ信号入力端子１０２との間に抵抗Ｒ３を、差動増幅器１０７の帰還抵抗として抵抗Ｒ４を設けている。請求項との関係では、抵抗Ｒ１，Ｒ２が第１の抵抗群に、抵抗Ｒ３，Ｒ４が第２の抵抗群に相当する。
【００２８】
ここで、各抵抗Ｒ１〜Ｒ４は、Ｒ２／（Ｒ１＋Ｒ２）≒Ｒ３／（Ｒ３＋Ｒ４）の関係式を満たす関係となっていて、差動増幅器１０７の非反転入力側のゲインと反転入力側のゲインが同程度に設定され、差動増幅器１０７の同相信号除去機能を発揮できるようにしている。
【００２９】
そして、抵抗ＲａとＲｂのインピーダンスが抵抗Ｒ１〜Ｒ４に影響を与えないようにするために、映像信号入力端子１０１と抵抗Ｒ１の間にバッファ回路１０９を、ＧＮＤ信号入力端子１０２と抵抗Ｒ３の間にバッファ回路１１０を設けている。
【００３０】
以上により、本実施例４の映像信号入力回路では、ＧＮＤノイズの除去比率を悪化させることなく静電耐圧を向上させることが出来る。
【実施例５】
【００３１】
図５は本発明の実施例５の映像信号入力回路の構成を示すブロック図である。これは、図４の映像信号入力回路において、抵抗Ｒａ，Ｒｂにそれぞれ容量Ｃ１，Ｃ２を直列接続したものである。このような構成であっても、図４に示した映像信号入力回路と同様に、ＧＮＤノイズの除去比率を悪化させることなく静電耐圧を向上させることが出来る。
【実施例６】
【００３２】
図６は本発明の実施例６の映像信号入力回路の構成を示すブロック図である。これは、図４の映像信号用同相信号除去回路１００Ｄを、図２で説明したクランプ回路１０５をさらに設けた映像信号用同相信号除去回路１００Ｅに置き換えたものである。クランプ回路１０５は、映像信号入力端子１０１とバッファ回路１０９の間に接続する。これにより、静電耐圧向上とＧＮＤノイズの除去が可能となり、また、シンクチップあるいはペデスタルのクランプも可能となる。
【実施例７】
【００３３】
図７は本発明の実施例７の映像信号入力回路の構成を示すブロック図である。これは、図４の映像信号用同相信号除去回路１００Ｄを、図３で説明したバイアス回路１０６をさらに設けた映像信号用同相信号除去回路１００Ｆに置き換えたものである。バイアス回路１０６は、映像信号入力端子１０１とバッファ回路１０９の間に接続する。これにより、静電耐圧向上とＧＮＤノイズの除去が可能となり、また、ＡＰＬの中心を所定のレベルに保持できる。
【実施例８】
【００３４】
図８(a)、(b)は本発明の実施例８の映像信号入力回路の構成を示すブロック図である。図８(a)では、図１で説明した映像信号用同相信号除去回路１００Ａの後段側に映像信号処理回路３００を具備させている。図８(b)では、図１で説明した映像信号出力用外部機器２００の像信号出力端子２０１と映像信号用同相信号除去回路１００Ａの映像信号入力端子１０１の間に映像信号処理回路３００を具備させている。
【００３５】
映像信号処理回路３００は、映像信号を目的に応じて処理する機能を有する回路であり、図８(a)ではＧＮＤノイズ成分を除去した映像信号について処理することになるので、その信号処理が容易となり、図８(b)では映像信号処理の後にＧＮＤノイズが除去されるので、得られる映像処理信号はＧＮＤノイズの影響を除去した映像信号処理済みの信号となる。なお、図８(b)では映像信号処理回路３００の出力側に現れる映像信号に重畳したＧＮＤノイズをＧＮＤ信号に重畳したＧＮＤノイズの瞬時値に合わせる必要がある。映像信号処理回路３００は、例えばフィルタ回路、スイッチ回路、ゲインアンプ回路、出力ドライバ回路等の映像信号処理を行うための回路を含む回路であり、これら以外にも映像信号処理の目的を達するために容易ならしめる回路を含むことは言うまでも無い。なお、図２〜図７で説明した映像信号入力回路においても、図８(a)又は(b)に示すように映像信号処理回路３００を具備させることで、同様な作用効果を得ることができる。
【その他の実施例】
【００３６】
以上、複数の実施例に基づき具体的に説明したが、本発明は前記実施例に限定されるものではなく、その旨を逸脱したい範囲で種々の変更が可能であることは言うまでも無い。
【図面の簡単な説明】
【００３７】
【図１】実施例１の映像信号入力回路の構成を示すブロック図である。
【図２】実施例２の映像信号入力回路の構成を示すブロック図である。
【図３】実施例３の映像信号入力回路の構成を示すブロック図である。
【図４】実施例４の映像信号入力回路の構成を示すブロック図である。
【図５】実施例５の映像信号入力回路の構成を示すブロック図である。
【図６】実施例６の映像信号入力回路の構成を示すブロック図である。
【図７】実施例７の映像信号入力回路の構成を示すブロック図である。
【図８】(a)、(b)は実施例８の映像信号入力回路の構成を示すブロック図である。
【図９】従来のＧＮＤノイズ除去回路の回路図である。
【符号の説明】
【００３８】
１００：映像信号用同相信号除去回路、１０１：映像信号入力端子、１０２：ＧＮＤ信号入力端子、１０３：映像信号出力端子、１０４：減算回路、１０５：クランプ回路、１０６：バイアス回路、１０７：差動増幅器、１０８：基準電圧源、１０９，１１０：バッファ回路
２００：映像信号出力用外部機器、２０１：映像信号出力端子、２０２：ＧＮＤ信号出力端子
３００：映像信号処理回路
【図１】
0004763367.tif 000002
【図２】
0004763367.tif 000003
【図３】
0004763367.tif 000004
【図４】
0004763367.tif 000005
【図５】
0004763367.tif 000006
【図６】
0004763367.tif 000007
【図７】
0004763367.tif 000008
【図８】
0004763367.tif 000009
【図９】
0004763367.tif 000010